(57)【要約】      （修正有）【課題】建築板との調和がとれるとともに、運搬、設置が行いやすく、外観を変更することが可能で、見栄えの良い建築板用展示台を提供する。【解決手段】複数の縦支持枠と、複数の横支持枠と、複数の縦装飾部材ｃ１１と、複数の横装飾部材ｃ２１と、複数の建築板とを備える建築板用展示台。縦支持枠は、左右に離間し、横支持枠は、縦支持枠に対して垂直に配されると共に、複数の縦支持枠を連結し、縦支持枠と横支持枠に囲まれた領域には、建築板が支持される。縦装飾部材と横装飾部材は紙製であって、脱着材を備え、縦装飾部材は、脱着材により、縦支持枠を覆うともに、縦支持枠から脱着可能に配され、横装飾部材は、脱着材により、横支持枠を覆うともに、横支持枠から脱着可能に配される。建築板は、縦装飾部材と横装飾部材に囲まれる。【選択図】図１
0003184274.tif 000002
【実用新案登録請求の範囲】
【請求項１】
複数の縦支持枠と、複数の横支持枠と、複数の縦装飾部材と、複数の横装飾部材と、複数の建築板とを備え、
縦支持枠は、左右に離間しており、
横支持枠は、縦支持枠に対して垂直に配されると共に、複数の縦支持枠を連結しており、
縦支持枠と横支持枠に囲まれた領域には、建築板が支持されており、
縦装飾部材と横装飾部材は紙製であって、脱着材を備え、
縦装飾部材は、脱着材により、縦支持枠を覆うともに、縦支持枠から脱着可能に配されており、
横装飾部材は、脱着材により、横支持枠を覆うともに、横支持枠から脱着可能に配されており、
建築板は、縦装飾部材と横装飾部材に囲まれている
ことを特徴とする建築板用展示台。
【請求項２】
複数の前記縦装飾部材は、脱着材により上下に連結している
ことを特徴とする請求項１に記載の建築板用展示台。
【請求項３】
前記縦装飾部材と前記横装飾部材は、脱着材により連結している
ことを特徴とする請求項１に記載の建築板用展示台。
【請求項４】
前記脱着材は、面ファスナー、磁石、粘着テープの１種以上からなる
ことを特徴とする請求項１に記載の建築板用展示台。
【請求項５】
更にベース枠とベース装飾部材を備え、
ベース枠は、前記横支持枠に対して垂直に配されるとともに、前記縦支持枠の下端に連結しており、
ベース装飾部材は、紙製であって、ベース枠を上方から覆っている
ことを特徴とする請求項１に記載の建築板用展示台。
【請求項６】
更に商品説明ボードを備え、
商品説明ボードは、紙製であって、前記縦装飾部材と前記横装飾部材に囲まれている
ことを特徴とする請求項１に記載の建築板用展示台。
【考案の詳細な説明】
【技術分野】
【０００１】
本考案は、建築板を展示する建築板用展示台に関するものである。
【背景技術】
【０００２】
従来、建築板用展示台としては、金属製枠により構成されていた。
【０００３】
非特許文献１には、商品見本を支持した支持枠により形成された商品見本展示台が開示されている。該商品見本展示台は、商品見本を差換可能とするために、支持枠の一側を脱着可能とすること、支持枠の上端には商品の出所を表示する表示板を設けることも開示されている。そして、支持枠は、強度等を考慮し、鉄等の金属製である。
【０００４】
近年の建築板には、顧客のニーズに応えるため、様々な塗装、柄模様等の意匠が施されており、非常に温かみが感じられる。一方で、金属は素材感として冷たい印象を受ける。そのため、非特許文献１の商品見本展示台に建築板を展示すると、建築板の持つ外観と支持枠の持つ外観がミスマッチとなり、見栄えが悪い。支持枠を塗装してもよいが、塗装費用がかかる上に、頻繁に塗り替えることができないので、商品によっては支持枠の色彩とミスマッチとなることがある。また、支持枠は金属製であるので重い。展示台の枠としては、高さがあり、幅も広いと見栄えが良いが、運搬、設置の面から金属製の支持枠の高さ、幅を広くすることは不可能であり、費用も高くなる。
【先行技術文献】
【非特許文献】
【０００５】
【非特許文献１】実開昭６２−１６１８６４号公報
【考案の概要】
【考案が解決しようとする課題】
【０００６】
本考案は前述した事情に鑑みてなされたものであり、建築板との調和がとれるとともに、運搬、設置が行いやすく、外観を変更することが可能で、見栄えの良い建築板用展示台を提供するものである。
【課題を解決するための手段】
【０００７】
本考案は、建築板用展示台を提供する。本考案の建築板用展示台は、複数の縦支持枠と、複数の横支持枠と、複数の縦装飾部材と、複数の横装飾部材と、複数の建築板とを備える。縦支持枠は、左右に離間しており、横支持枠は、縦支持枠に対して垂直に配されると共に、複数の縦支持枠を連結しており、縦支持枠と横支持枠に囲まれた領域には、建築板が支持されている。縦装飾部材と横装飾部材は紙製であって、脱着材を備え、縦装飾部材は、脱着材により、縦支持枠を覆うともに、縦支持枠から脱着可能に配されており、横装飾部材は、脱着材により、横支持枠を覆うともに、横支持枠から脱着可能に配されている。そして、建築板は、縦装飾部材と横装飾部材に囲まれていることを特徴とする。これらの構成を有することで、建築板との調和がとれるとともに、運搬、設置が行いやすい。また、縦装飾部材、横装飾部材は繰り返し使用可能であると共に、建築板の意匠を考慮し、付け替えが可能である。脱着材は、面ファスナー、磁石、粘着テープの１種以上からなると、脱着が容易となるので好ましい。コストと繰り返し脱着することを考慮すると、面ファスナーとすることがより好ましい。縦装飾部材は、上下方向に１本だけ配しても良いし、複数配しても良い。上下方向に複数配する場合には、複数の縦装飾部材は、接着剤、脱着剤等により連結することができるが、脱着材により上下に連結していると、繰り返し使用しやすいとともに、運搬、設置も行いやすいので好ましい。縦装飾部材と横装飾部材は、脱着材により連結していると、繰り返し使用しやすいとともに、運搬、設置も行いやすいので好ましい。更に、本考案の建築板用展示台は、ベース枠とベース装飾部材を備えることもできる。その場合、ベース枠は、横支持枠に対して垂直に配されるとともに、縦支持枠の下端に連結しており、ベース装飾部材は、紙製であって、ベース枠を上方から覆っている。この構成により、建築板用展示台は安定するとともに、見栄えが良い。更に、本考案の建築板用展示台は、紙製の商品説明ボードを備え、該商品説明ボードは、縦装飾部材と横装飾部材に囲まれていても良い。商品説明ボードとしては、建築板の価格、材質、サイズ、物性等の情報を掲載したものでも良いし、建築板を用いた家の写真、図等を掲載したものでも良い。商品説明ボードを備えると、展示している建築板の情報が把握できるので、好ましい。
【考案の効果】
【０００８】
本考案によれば、建築板との調和がとれるとともに、運搬、設置が行いやすく、外観を変更することが可能で、見栄えの良い建築板用展示台を提供することができる。また、装飾部材は脱着可能であるので、繰り返し使用が可能である、紙製であるので廃棄に困らない等の効果も奏する。
【図面の簡単な説明】
【０００９】
【図１】図１は、本考案にかかる建築板用展示台の一実施例の斜視図である。
【図２】図２は、図１に示す建築板用展示台から装飾部材と補助部材を外した図である。
【図３】図３は、図１に示す建築板用展示台から装飾部材、補助部材と建築板を外した図である。
【図４】図４は、図１に示す建築板用展示台の装飾部材と補助部材の展開図である。
【図５】図５は、本考案にかかる建築板用展示台の別の実施例の斜視図である。
【図６】図６は、図５に示す建築板用展示台の装飾部材と補助部材の展開図である。
【図７】図７は、本考案にかかる建築板用展示台の更に別の実施例の斜視図である。
【図８】図８は、図７に示す建築板用展示台の商品説明ボードの正面図である。
【図９】図９は、本考案にかかる建築板用展示台の更に別の実施例の斜視図である。
【考案を実施するための形態】
【００１０】
以下、図面を参照しながら本考案について詳細に説明する。
【００１１】
図１は、本考案にかかる建築板用展示台の一実施例の斜視図であり、図２は、図１に示す建築板用展示台から装飾部材と補助部材を外した図であり、図３は、図１に示す建築板用展示台から装飾部材、補助部材と建築板を外した図であり、図４は、図１に示す建築板用展示台の装飾部材と補助部材の展開図である。
図１に示す建築板用展示台は、縦支持枠ａ１、ａ２と、横支持枠ｂ１、ｂ２、ｂ３、ｂ４、ｂ５と、装飾部材ｃ１１、ｃ２１、ｃ３１と、ベース枠ｄ１、ｄ２と、建築板ｅ１、ｅ２、ｅ３、ｅ４と、補助部材ｉ１からなる。
縦支持枠ａ１、ａ２は、上下に伸びた鉄製枠であり、左右に離間するよう配されている。横支持枠ｂ１、ｂ２、ｂ３、ｂ４、ｂ５は、左右に伸びた鉄製枠であり、縦支持枠ａ１、ａ２に対して垂直に配されると共に、縦支持枠ａ１、ａ２を連結するよう配されている。なお、縦支持枠ａ１、ａ２の上下位置は揃えてあり、横支持枠ｂ２、ｂ３、ｂ４、ｂ５の左右位置も揃えてあるので、縦支持枠ａ１、ａ２は、上下で等間隔である。また、横支持枠ｂ１、ｂ２、ｂ３、ｂ４、ｂ５は、互いに等間隔で上下に離間するよう配されており、縦支持枠と横支持枠に囲まれた領域には、建築板が支持されている。詳しくは、縦支持枠ａ１、ａ２と横支持枠ｂ１、ｂ２に囲まれた領域には、建築板ｅ１が支持されており、縦支持枠ａ１、ａ２と横支持枠ｂ２、ｂ３に囲まれた領域には、建築板ｅ２が支持されており、縦支持枠ａ１、ａ２と横支持枠ｂ３、ｂ４に囲まれた領域には、建築板ｅ３が支持されており、縦支持枠ａ１、ａ２と横支持枠ｂ４、ｂ５に囲まれた領域には、建築板ｅ４が支持されている。縦支持枠、横支持枠は鉄製であるので、建築板を支持するに十分な強度を備えている。
ベース枠ｄ１、ｄ２は、前後（横支持枠に対して垂直方向）に伸びた鉄製枠であり、縦支持枠ａ１、ａ２の下端に連結している。ベース枠も鉄製であるので、強度に優れており、展示台は安定している。
そして、装飾部材ｃ１１、ｃ２１、ｃ３１は紙製部材であって、縦支持枠ａ１、ａ２と、横支持枠ｂ１、ｂ２、ｂ３、ｂ４、ｂ５と、ベース枠ｄ１、ｄ２を覆うよう配されている。詳しくは、縦支持枠ａ１、ａ２は、複数の縦装飾部材ｃ１１により覆われており、横支持枠ｂ１、ｂ２、ｂ３、ｂ４、ｂ５は、横装飾部材ｃ２１により覆われており、ベース枠ｄ１、ｄ２は、ベース装飾部材ｃ３１により覆われている。そのため、鉄製枠が表に露出せず、建築板ｅ１、ｅ２、ｅ３、ｅ４は、縦装飾部材ｃ１１と横装飾部材ｃ２１により囲まれている。すなわち、前から展示台を見た際に、建築板は、紙製の縦装飾部材と横装飾部材に囲まれているので、調和が取れており、建築板の外観を損なわない。なお、補助部材ｉ１も紙製であり、補助部材ｉ１は、縦装飾部材ｃ１１と縦支持枠の間に配しており、表には露出しないが、縦装飾部材ｃ１１と縦支持枠を連結し、縦装飾部材ｃ１１を補強する部材として用いている。
なお、図４に示すように、装飾部材ｃ１１、ｃ２１、ｃ３１は、面ファスナーと両面テープを有する。詳しくは、縦支持枠を覆う縦装飾部材ｃ１１は、上方に面ファスナーｆ１を、下方に面ファスナーｆ２を、その間に面ファスナーｆ３を有するとともに、上下に伸びた両面テープｇ１を有している。両面テープｇ１により、面ファスナーｆ１を有する面と、面ファスナーｆ２，ｆ３を有する面とが接着しているので、縦装飾部材ｃ１１は十分な強度を有する。そして、縦装飾部材ｃ１１は、面ファスナーｆ１を、上に配された別の縦装飾部材ｃ１１の面ファスナーｆ２と繋げることにより連結しており、面ファスナーｆ２を、下に配された別の縦装飾部材ｃ１１の面ファスナーｆ１と繋げることにより連結している。このように、複数の縦装飾部材ｃ１１は、面ファスナーｆ１、ｆ２により連結しているので、縦支持枠は表に露出しない。また、縦装飾部材ｃ１１と縦支持枠との間には、面ファスナーｆ６と両面テープｇ５とを有する補助部材ｉ１が配されている。詳しくは、補助部材ｉ１の両面テープｇ５が縦支持枠に接着するとともに、補助部材ｉ１の面ファスナーｆ６が縦装飾部材ｃ１１の面ファスナーｆ３に繋がっている。補助部材ｉ１は、縦支持枠と縦装飾部材ｃ１１との間に複数配されているので、縦装飾部材ｃ１１の強度が補強される。
一方、横支持枠を覆う横装飾部材ｃ２１は、両面テープｇ２、ｇ３を有する。両面テープｇ２により、両面テープｇ２を有する面と両面テープｇ３を有する面とは密着しているので、横装飾部材ｃ２１も十分な強度を有する。そして、横装飾部材ｃ２１は、両面テープｇ３により横支持枠に密着しているので、横支持枠は表に露出しない。
更に、ベース枠を覆うベース装飾部材ｃ３１は、面ファスナーｆ４、ｆ５と両面テープｇ４を有する。両面テープｇ４を有する面は折り曲げて、隣接面を補強する。そして、面ファスナーｆ４、ｆ５を繋げることにより、ベース装飾部材ｃ３１は三方が閉じた筺体となり、ベース枠を覆うことができる。そのため、鉄製であるベース枠も前面から見た際に露出しない。
以上のように、本実施例の建築板用展示台は、紙製の装飾部材により鉄製の縦支持枠、横支持枠が覆われており、表に露出しないので、金属による冷たい素材感はなくなる。また、建築板は紙製の装飾部材に囲まれているので、紙による温かみが感じられ、建築板との調和が取れる。更に、装飾部材が紙製であり、軽いので、高く、幅を広くすることが可能であり、見栄えが良くなる。また、廃棄にも困らない。更に、装飾部材は脱着材により固定されているだけなので、脱着可能であり、繰り返し使用可能であると共に、運搬、設置が行いやすく、展示する建築板により付け替えが可能である。
【００１２】
図５は、本考案にかかる建築板用展示台の別の実施例の斜視図であり、図６は、図５に示す建築板用展示台の装飾部材と補助部材の展開図である。
図５に示す建築板用展示台は、図１に示す建築板用展示台において、装飾部材の一部を変更したものである。具体的には、図１に示す建築板用展示台において、縦装飾部材ｃ１１を縦装飾部材ｃ１２に、横装飾部材ｃ２１を横装飾部材ｃ２２に変更するとともに、背面側からもベース枠をベース装飾部材ｃ３１で覆っている。縦装飾部材ｃ１２は紙製であり、縦の長さが縦装飾部材ｃ１１の１．５倍であり、面ファスナーｆ３を面ファスナーｆ７に変更している。横装飾部材ｃ２２も紙製であり、形状は横装飾部材ｃ２１と同じであるが、両面テープｇ３を面ファスナーｆ８に変更している。また、図示していないが、図５に示す建築板用展示台は、背面側にも複数の建築板を、前面側と同様に配している。
縦装飾部材ｃ１２も縦装飾部材ｃ１１と同じように、上下に面ファスナーｆ１、ｆ２を有するので、２つの縦装飾部材ｃ１２は、面ファスナーｆ１、ｆ２により、上下に連結している。そして、縦装飾部材ｃ１２の面ファスナーｆ７に、横装飾部材ｃ２２の面ファスナーｆ８を繋げることにより、縦装飾部材ｃ１２と横装飾部材ｃ２２を連結している。それにより、縦支持枠は縦装飾部材ｃ１２に、横支持枠は横装飾部材ｃ２２に覆われており、表に露出しない。また、建築板は、縦装飾部材ｃ１２と横装飾部材ｃ２２により囲われている。更に、補助部材ｉ１は、縦支持枠と縦装飾部材ｃ１２との間に複数配されているのだが、補助部材ｉ１の面ファスナーｆ６は縦装飾部材ｃ１２の面ファスナーｆ７に繋がっており、縦装飾部材ｃ１２の強度を補強している。
以上のように、本実施例の建築板用展示台においても、図１に示す建築板用展示台と同じ効果を得ることができる。更に、本実施例の建築板用展示台においては、背面側にも前面側と同様に、建築板、ベース装飾部材ｃ３１を配するので、背面側も建築板の展示箇所として有効に活用できる。
【００１３】
図７は、本考案にかかる建築板用展示台の更に別の実施例の斜視図であり、図８は、図７に示す建築板用展示台の商品説明ボードの正面図である。
図７に示す建築板用展示台は、図５に示す建築板用展示台において、最上段に支持した建築板を商品説明ボードｈ１に変更したものである。展示用パネルｈ１は紙製であり、四角形状であるが、左右に面ファスナーｆ９を有する。面ファスナーｆ９は、縦装飾部材ｃ１２の面ファスナーｆ７繋がっているので、商品説明ボードｈ１も固定されている。なお、図示していないが、商品説明ボードｈ１は、下段に展示している建築板を施工した際の住宅図や、建築板の価格、材質、サイズ、物性等の情報を掲載している。また、図７において、背面側に商品説明ボードｈ１と複数の建築板を、前面側と同様に配している。
以上のように、本実施例の建築板用展示台においても、図５に示す建築板用展示台と同じ効果を得ることができる。更に、本実施例の建築板用展示台においては、商品説明ボードを一緒に展示しているので、展示している建築板の情報が把握できる。
【００１４】
図９は、本考案にかかる建築板用展示台の更に別の実施例の斜視図である。
図９に示す建築板用展示台は、図７に示す建築板用展示台を横方向に３台連結させたものである。本実施例においても、図７に示す建築板用展示台と同じ効果を得ることができるとともに、３台連結させているので、見栄えが良い。
【００１５】
以上に本考案の実施形態について説明したが、本考案はこれに限定されず、実用新案登録請求の範囲に記載の考案の範囲において種々の変形態を取り得る。例えば、前述の実施例において、面ファスナーを磁石、両面テープ、片面テープ等に変更しても良い。また、両面テープｇ３は、磁石に変更しても良い。更に、縦支持枠、横支持枠の材は鉄に限られるものではなく、アルミニウム、ステンレス等の他の金属や、木材等を用いても良い。更に、横支持枠の配置間隔は、等間隔に限定されず、建築板の種類により間隔を変えても良いし、商品説明ボードを配する場合には建築板の場合と等間隔でなくても良い。更に、縦支持枠を覆う装飾部材は、１つでも良いし、４つ以上としても良い。更に、横支持枠を覆う装飾部材に商品情報を掲載しても良い。
【産業上の利用可能性】
【００１６】
以上説明したように、本考案によれば、建築板との調和がとれるとともに、運搬、設置が行いやすく、外観を変更することが可能で、見栄えの良い建築板用展示台を提供することができる。
【符号の説明】
【００１７】
ａ１〜ａ２      縦支持枠
ｂ１〜ｂ４      横支持枠
ｃ１１、ｃ１２  縦装飾部材
ｃ２１、ｃ２２  横装飾部材
ｃ３１          ベース装飾部材
ｄ１〜ｄ２      ベース枠
ｅ１〜ｅ４      建築板
ｆ１〜ｆ９      面ファスナー
ｇ１〜ｇ５      両面テープ
ｈ１            商品説明ボード
【図１】
0003184274.tif 000003
【図２】
0003184274.tif 000004
【図３】
0003184274.tif 000005
【図４】
0003184274.tif 000006
【図５】
0003184274.tif 000007
【図６】
0003184274.tif 000008
【図７】
0003184274.tif 000009
【図８】
0003184274.tif 000010
【図９】
0003184274.tif 000011